(57)【特許請求の範囲】
【請求項１】
移動端末と、基地局と、基地局制御器が所定のネットワークを通じて連結されるサービスシステムにおいて前記移動端末と通信できる基地局から前記移動端末にサービス品質に基づいて呼を設定する方法において、
前記移動端末がサービスを受けることができるサービスの種類ほど、前記各サービスが要求するサービス品質パラメータの集合である使用者プロファイル情報をプロファイルサーバに貯蔵する過程と；
呼設定が要求されると、呼設定が要求された呼がサービス品質保障が要求される呼であるか否かを検査する過程と；
前記基地局により割り当てられる全体帯域幅から現在割り当てられた全ての帯域幅の和を除いた、残った可用帯域幅を計算する過程と；
前記呼設定が要求された呼が前記サービス品質保障が要求される呼である場合、前記可用帯域幅が前記プロファイルサーバに貯蔵された使用者プロファイル情報によって前記要求された呼のサービス品質を保障するために要求される伝送率を支援できるか確認する過程と；
前記伝送率を支援できる場合、呼を受付る過程と；
呼承諾応答信号を前記基地局制御器に送信する過程と；を含むことを特徴とする方法。
【請求項２】
サービス品質が要求される呼設定要求時、使用可能なチャネルエレメントが存在するか確認する過程をさらに含むことを特徴とする請求項１記載の方法。
【請求項３】
前記伝送率を支援できる場合、前記チャネルエレメントを割り当てる過程をさらに含むことを特徴とする請求項１記載の方法。
【請求項４】
サービス品質が要求されなかった呼設定要求時、またはnonQoS加入者のための可用チャネル資源が存在する場合、呼承諾応答信号を基地局制御器に送信して呼を受付ける過程をさらに含むことを特徴とする請求項１記載の方法。
【請求項５】
前記使用者プロファイル情報に含まれたサービス品質パラメータに基づいて要求される最小帯域幅が存在する場合、前記伝送率が支援されることを特徴とする請求項１記載の方法。
【請求項６】
前記使用者プロファイル情報に含まれたサービス品質パラメータに基づいて要求される最大帯域幅が存在する場合、前記伝送率が支援されることを特徴とする請求項１記載の方法。
【請求項７】
前記最小要求帯域幅と予め決定された第１ファクター値の積が存在する場合、前記伝送率が支援されることを特徴とする請求項５記載の方法。
【請求項８】
前記最大要求帯域幅と予め決定された第２ファクター値の積が存在する場合、前記伝送率が支援されることを特徴とする請求項６記載の方法。
【請求項９】
要求された伝送率が支援される場合、基地局スイッチを割り当てて呼を受付ける過程をさらに含むことを特徴とする請求項１記載の方法。
【請求項１０】
移動端末と、前記移動端末と通信できる基地局と、基地局制御器とが所定のネットワークを通じて連結されるサービスシステムの前記基地局制御器から前記移動端末にサービス品質に基づいて呼を設定する方法において、
前記移動端末がサービスを受けることができるサービスの種類ほど、前記各サービスが要求するサービス品質パラメータの集合である使用者プロファイル情報をプロファイルサーバに貯蔵する過程と；
サービス品質保障が要求される呼が受信されるか否かを検査する過程と；
前記基地局と基地局制御器間に残った可用帯域幅を計算する過程と；
サービス品質保障が要求される呼である場合、前記可用帯域幅が前記プロファイルサーバに貯蔵された前記使用者プロファイル情報によって、前記要求された呼のサービス品質を保障するために要求される最小伝送率を支援できるか確認する過程と；
前記可用帯域幅が前記呼のサービス品質に基づいた最小伝送率を支援できると、前記帯域幅を割り当てる過程と；
前記帯域幅が前記最小伝送率を支援できる場合、前記基地局に呼設定要求信号を伝送する過程と；を含むことを特徴とする方法。
【請求項１１】
サービス品質が要求される呼設定要求時、使用可能なチャネル資源が存在するか確認する過程をさらに含むことを特徴とする請求項１０記載の方法。
【請求項１２】
無線資源を割り当てる過程をさらに含むことを特徴とする請求項１０記載の方法。
【請求項１３】
サービス品質が要求されなかった呼設定要求時、またはnonQoS加入者のための可用チャネル資源が存在する場合、呼承諾応答信号をゲートウェイおよび移動交換システムのうち少なくとも一つに送信して呼を受付ける過程をさらに含むことを特徴とする請求項１０記載の方法。
【請求項１４】
前記使用者プロファイル情報に含まれたサービス品質パラメータに基づいて要求される最小帯域幅が存在する場合、前記伝送率が支援されることを特徴とする請求項１０記載の方法。
【請求項１５】
前記使用者プロファイル情報に含まれたサービス品質パラメータに基づいて要求される最大帯域幅が存在する場合、前記伝送率が支援されることを特徴とする請求項１０記載の方法。
【請求項１６】
前記最小要求帯域幅と予め決定された第１ファクター値の積が存在する場合、前記伝送率が支援されることを特徴とする請求項１４記載の方法。
【請求項１７】
前記最大要求帯域幅と予め決定された第２ファクター値の積が存在する場合、前記伝送率が支援されることを特徴とする請求項１５記載の方法。
【請求項１８】
前記基地局と連結されたネットワークに前記サービス品質に基づいて要求される最小伝送率を支援できる帯域幅が存在する場合、基地局制御器内部スイッチを前記基地局に連結する過程をさらに含むことを特徴とする請求項１０記載の方法。
【請求項１９】
移動端末と、前記移動端末と通信できる基地局と、基地局制御器とが所定のネットワークを通じて連結され、前記移動端末のサービス品質プロファイル情報を貯蔵するプロファイルサーバを含むサービスシステムの前記基地局制御器から前記移動端末にサービス品質に基づいて呼を設定する方法において、
前記移動端末がサービスを受けることができるサービスの種類ほど、前記各サービスが要求するサービス品質パラメータの集合である使用者プロファイル情報をプロファイルサーバに貯蔵する過程と；
呼設定要求信号受信時、前記呼設定の要求された信号がサービス品質保証が要求される呼であると、前記プロファイルサーバから前記呼設定の要求された呼が要求するサービス品質パラメータを含む前記移動端末の使用者プロファイル情報を獲得する過程と；
前記基地局制御器内に使用可能な無線資源が存在するか確認する過程と；
前記無線資源が存在する場合、前記基地局と連結されたネットワークの帯域幅が前記プロファイルサーバから獲得した前記サービス品質パラメータに基づいて要求される最小伝送率を支援できるか確認する過程と；
前記存在する無線資源が前記要求される呼の最小伝送率を支援できると、前記存在する帯域幅を割り当てる過程と；
前記帯域幅が前記最小伝送率を支援できる場合、前記基地局に呼設定要求信号を伝送する過程と；を含むことを特徴とする方法。
【請求項２０】
サービス品質が要求されなかった呼設定要求時、またはnonQoS加入者のための可用チャネル資源が存在する場合、呼承諾応答信号をゲートウェイおよび移動交換システムのうち少なくとも一つに送信して呼を受付ける過程をさらに含むことを特徴とする請求項１９記載の方法。
【請求項２１】
前記サービス品質パラメータに基づいて要求される最小帯域幅が存在する場合、前記伝送率が支援されることを特徴とする請求項１９記載の方法。
【請求項２２】
前記サービス品質パラメータに基づいて要求される最大帯域幅が存在する場合、前記伝送率が支援されることを特徴とする請求項１９記載の方法。
【請求項２３】
前記最小要求帯域幅と予め決定された第１ファクター値の積が存在する場合、前記伝送率が支援されることを特徴とする請求項２１記載の方法。
【請求項２４】
前記最大要求帯域幅と予め決定された第２ファクター値の積が存在する場合、前記伝送率が支援されることを特徴とする請求項２２記載の方法。
【請求項２５】
前記基地局と連結されたネットワークに前記サービス品質に基づいて要求される最小伝送率を支援できる帯域幅が存在する場合、基地局制御器内部スイッチを前記基地局に連結する過程をさらに含むことを特徴とする請求項１９記載の方法。
【請求項２６】
サービス品質要求に応じて通信網を通じて呼を設定するシステムは、移動端末、基地局、前記基地局内部に含まれた基地局制御部、基地局制御器で構成され；
前記基地局制御部は、呼設定が要求される場合、前記移動端末がサービスを受けることができるサービスの種類ほど、前記各サービスが要求するサービス品質パラメータの集合である使用者プロファイル情報を貯蔵しているプロファイルサーバから前記呼設定が要求された呼の使用者プロファイル情報を獲得し、残った可用帯域幅を計算して残った可用帯域幅が前記獲得された使用者プロファイル情報に設定された呼のサービス品質を保障するために要求される伝送率を支援できるか確認し、前記伝送率を支援できる場合は呼を受付け、呼承諾応答信号を前記基地局制御器に送信することを特徴とするシステム。
【請求項２７】
前記基地局制御部は、サービス品質が要求される呼設定要求時、使用可能なチャネルエレメントが存在するか確認することを特徴とする請求項２６記載のシステム。
【請求項２８】
前記伝送率を支援できる場合、前記基地局制御部は前記チャネルエレメントを割り当てることを特徴とする請求項２６記載のシステム。
【請求項２９】
前記基地局制御部は、前記使用者プロファイル情報に含まれたサービス品質が要求されなかった呼設定要求時、またはnonQoS加入者のための可用チャネル資源が存在する場合、呼承諾応答信号を基地局制御器に送信して呼を受付けることを特徴とする請求項２６記載のシステム。
【請求項３０】
前記基地局制御部は、前記使用者プロファイル情報に含まれたサービス品質パラメータに基づいて要求される最小帯域幅が存在する場合、前記伝送率を支援できるか確認することを特徴とする請求項２６記載のシステム。
【請求項３１】
前記基地局制御部は、前記使用者プロファイル情報に含まれたサービス品質パラメータに基づいて要求される最大帯域幅が存在する場合、前記伝送率を支援できるか確認することを特徴とする請求項２６記載のシステム。
【請求項３２】
前記基地局制御部は、前記最小要求帯域幅と予め決定された第１ファクター値の積が存在する場合、前記伝送率を支援できるか確認することを特徴とする請求項３０記載のシステム。
【請求項３３】
前記基地局制御部は、前記最大要求帯域幅と予め決定された第２ファクター値の積が存在する場合、前記伝送率を支援できるか確認することを特徴とする請求項３１記載のシステム。
【請求項３４】
サービス品質要求に応じて通信網を通じて呼を設定するシステムは、移動端末、基地局、基地局制御器で構成され；
前記基地局制御器は、呼設定が要求されるとき、前記基地局との残った可用帯域幅を計算して前記基地局に連結されたネットワークの残った可用帯域幅が前記移動端末がサービスを受けることができるサービスの種類ほど、前記各サービスが要求するサービス品質パラメータの集合である使用者プロファイル情報を貯蔵しているプロファイルサーバに貯蔵された前記呼設定が要求された呼の使用者プロファイル情報に設定された呼のサービス品質を保障するために要求される最小伝送率を支援できるか確認し、前記最小伝送率を支援できると前記帯域幅を割り当て、呼設定要求信号を前記基地局に送信することを特徴とするシステム。
【請求項３５】
前記基地局制御器は、サービス品質が要求される呼設定要求時、使用可能な無線資源が存在するか確認することを特徴とする請求項３４記載のシステム。
【請求項３６】
前記基地局制御器は、前記伝送率を支援できる場合、前記チャネルエレメントを割り当て、基地局に連結することを特徴とする請求項３４記載のシステム。
【請求項３７】
前記基地局制御器は、サービス品質が要求されなかった呼設定要求時、またはnonQoS加入者のための可用チャネル資源が存在する場合、呼承諾応答信号をゲートウェイおよび移動交換システムのうち少なくとも一つに送信して呼を受付けることを特徴とする請求項３４記載のシステム。
【請求項３８】
前記基地局制御器は、前記使用者プロファイル情報に含まれたサービス品質パラメータ基づいて要求される最小帯域幅が存在する場合、前記伝送率を支援できるか確認することを特徴とする請求項３４記載のシステム。
【請求項３９】
前記基地局制御器は、前記使用者プロファイル情報に含まれたサービス品質パラメータに基づいて要求される最大帯域幅が存在する場合、前記伝送率を支援できるか確認することを特徴とする請求項３４記載のシステム。
【請求項４０】
前記基地局制御器は、前記最小要求帯域幅と予め決定された第１ファクター値の積が存在する場合、前記伝送率を支援できるか確認することを特徴とする請求項３８記載のシステム。
【請求項４１】
前記基地局制御器は、前記最大要求帯域幅と予め決定された第２ファクター値の積が存在する場合、前記伝送率を支援できるか確認することを特徴とする請求項３９記載のシステム。
【請求項４２】
サービス品質要求に応じて通信網を通じて呼を設定するシステムは、移動端末、基地局、基地局制御器で構成され；
前記基地局制御器は、設定が要求された呼がサービス品質保障が要求される呼であると、前記移動端末がサービスを受けることができるサービスの種類ほど、前記各サービスが要求するサービス品質パラメータの集合である使用者プロファイル情報を貯蔵しているプロファイルサーバから前記呼設定の要求された呼が要求するサービス品質パラメータを含む前記移動端末の使用者プロファイル情報を獲得し、前記基地局制御器内に使用可能な無線資源が存在するか確認し、前記確認の結果無線資源が存在する場合、前記基地局と連結されたネットワークの帯域幅が前記プロファイルサーバから獲得した前記サービス品質パラメータに基づいて要求される最小伝送率を支援できるか確認し、前記存在する無線資源が前記要求される呼の最小伝送率を支援できると、前記存在する帯域幅を割り当てて前記基地局に連結し、前記帯域幅が前記最小伝送率を支援できる場合、前記基地局に呼設定要求信号を伝送することを特徴とするシステム。
【請求項４３】
前記基地局制御器は、サービス品質が要求されなかった呼設定要求時、またはnonQoS加入者のための可用チャネル資源が存在する場合、呼承諾応答信号をゲートウェイおよび移動交換システムのうち少なくとも一つに送信して呼を受付けることを特徴とする請求項４２記載のシステム。
【請求項４４】
前記基地局制御器は、前記サービス品質パラメータに基づいて要求される最小帯域幅が存在する場合、前記伝送率を支援できるか確認することを特徴とする請求項４２記載のシステム。
【請求項４５】
前記基地局制御器は、前記サービス品質パラメータに基づいて要求される最大帯域幅が存在する場合、前記伝送率を支援できるか確認することを特徴とする請求項４２記載のシステム。
【請求項４６】
前記基地局制御器は、前記最小要求帯域幅と予め決定された第１ファクター値の積が存在する場合、前記伝送率を支援できるか確認することを特徴とする請求項４４記載のシステム。
【請求項４７】
前記基地局制御器は、前記最大要求帯域幅と予め決定された第２ファクター値の積が存在する場合、前記伝送率を支援できるか確認することを特徴とする請求項４５記載のシステム。
【発明の詳細な説明】
【０００１】
【発明の属する技術分野】
本発明は、移動通信システムで呼受付方法およびシステムに関し、特に、移動通信システムで新規呼またはハンドオーバーの要求される呼に対して受付を決定する方法に関する。
【０００２】
【従来の技術】
通常、移動通信システムとは、移動者の活動性を保障しながら音声およびデータ通信を提供するために開発されたシステムのことをいう。したがって、移動通信システムの端末(ＭＳ：Mobile Station)は基地局(ＢＴＳ ：Base Transceiver Station)と無線チャネルを通じてデータの送／受信を行う。このような移動通信システムでは、呼が開始されたり要求されたりするとき常に呼の認証を行わなければならない。
【０００３】
この移動通信システムの構成を図１を参照して説明する。図１は一般の移動通信システムの各ノードの連結構成図である。
【０００４】
移動端末１は上述のように活動性の保障された端末であり、基地局(ＢＴＳ −ａ、…、ＢＴＳ −ｎ)１０−ａ、…、１０−ｎと無線チャネルを通じて音声またはデータ通信を行う。それら基地局１０−ａ、…、１０−ｎは基地局制御器(ＢＳＣ：Base Station Controller)２０によって制御され、ＷＡＮ(Wide Area network)のようなネットワークを通じて互いに連結される。また、前記基地局制御器２０は、ゲートウェイ(Gateway)／移動交換システム(ＭＳＣ：Mobile Switching Center)(ＧＷ／ＭＳＣ)３０と連結されてインターネット(Internet)、公衆網(ＰＳＴＮ：Public Switched Telephone Network)およびデータ通信網(ＰＳＤＮ：Public Switched Data Network)６０と連結され、呼の連結のための動作を行う。前記ゲートウェイ３０は論理的な名であって、通常、パケットデータサービスノード(ＰＤＳＮ：Packet Data Service Node)、アクセスゲートウェイ(ＡＧＷ：Access Gateway)或いはメディアゲートウェイ(ＭＧＷ：Media Gateway)などの名で呼ばれる。
【０００５】
プロファイルサーバ(Profile Server)４０は、各加入者ごとに加入者のＩＤと認証のためのパラメータなどの必要な情報をプロファイルとして貯蔵する。前記プロファイルサーバ４０に貯蔵されるプロファイルデータは、下記の<表１>のように構成できる。
【０００６】
【表１】
0004202769.tif 000002
【０００７】
プロファイルデータは、前記<表１>に表すように、加入者区分のための加入者ＩＤ(Subscriber Identifier)フィールドと、加入者の認証を行うための加入者認証パラメータ(Authentication Parameter)フィールドと、加入者の付加的な情報を貯蔵する付加情報(Additional Information)フィールドとで構成される。このようにプロファイルデータを貯蔵するプロファイルサーバ４０は論理的な装備であって、物理的には移動交換システム／ゲートウェイ３０などの装備に含まれて具現されることができる。
【０００８】
図１の移動通信システムにおいて外部から入る呼に対して受付／拒絶を行う信号流れを図２に示す。
【０００９】
発信側の特定ノードから所定の移動端末１に呼設定が要求されると、この呼設定要求は移動通信システムに連結される。つまり、前記発信側を構成するノードのシステムから移動交換システム／ゲートウェイ３０に呼の設定を要求する信号を送信する。このように特定ノードのシステムから呼設定要求信号が受信されると、前記移動交換システム／ゲートウェイ３０は１００段階で呼設定要求(Call-Establishment-Req)メッセージを生成して基地局制御器２０に伝達する。これを受信した前記基地局制御器２０は１０２段階で使用者プロファイル要求(User-Profile-Req)メッセージを生成してプロファイルサーバ４０に伝達する。前記プロファイルサーバ４０は使用者プロファイル要求メッセージを受信すると前記<表１>に表したようなプロファイルデータを確認して使用者プロファイル応答(User-Profile-Res)メッセージを生成し、これを１０４段階で基地局制御器２０に伝達する。前記使用者プロファイル応答メッセージは、前記<表１>に表した内容のうち、必要な部分のみ伝送されてもよく、前記使用者プロファイル全体がメッセージとして生成されて伝送されてもよい。
【００１０】
すると、前記基地局制御器２０は１０６段階で呼受付制御(ＣＡＣ：Call Admission Control)を行い、基地局制御器の資源に余分があるか確認する。このように呼の資源を確認し呼を受付できる場合、基地局制御器２０は呼設定要求メッセージを生成して１１０段階で基地局１０−ａに伝送する。一方、呼を受付できない場合、基地局制御器２０は１０８段階で呼設定拒否(Call-Establishment-Rej)メッセージを生成し、これを移動交換システム／ゲートウェイ３０に伝達する。仮に、前記ＣＡＣ確認結果、呼の受付が可能であって１１０段階で呼設定要求メッセージが基地局１０−ａに伝送された場合、前記基地局１０−ａは１１２段階で呼を受付できるか確認するためのＣＡＣ確認を行う。そして、ＣＡＣ確認結果、呼を受付できる場合、前記基地局１０−ａは、１１４−ａ段階に進んで呼承諾応答(Call-Accept-Res)メッセージを生成して基地局制御器２０に伝達し、呼を受付できない場合は１１４−ｂ段階に進んで呼設定拒否(Call-Establishment-Rej)メッセージを生成して基地局制御器２０に伝達する。
【００１１】
前記基地局制御器２０は基地局１０−ａから呼承諾応答メッセージを受信すると、１１６−ａ段階に進んで移動交換システム／ゲートウェイ３０に呼承諾応答(Call-Accept-Res)メッセージを伝達し、基地局１０−ａから呼設定拒否(Call-Establishment-Rej)メッセージを受信すると１１６−ｂ段階で前記受信された呼設定拒否メッセージを前記移動交換システム／ゲートウェイ３０に伝達する。これらの過程を通じて呼設定時の受付および拒絶がなされる。
【００１２】
しかし、前記の過程では、呼の割り当てられたか否かしか確認できなく、サービスされる呼のサービス品質(ＱｏＳ：Quality of Service)は考慮されていない。これは、単に音声呼のみを使用する場合やインスタントメッセージ(Instant Message)または簡単なインターネット接続(Internet Service)を提供する場合には問題にならない。しかし、より多い種類のサービスが要求されつつあるのが現状であり、ＶｏＤ(Video on Demand)サービス、ＭｏＤ(Music on Demand)サービスまたはＷ−ＩＳＰ(Wireless ISP)サービスなどといった多様なサービスを提供するに至った。ところで、これらのサービスは実時間に伝送されなければならない場合が多く、この場合、呼が設定されている間、継続的にまたは特定の時間に多くのデータを伝送しなければならない。そのため、従来のように、単に呼を割り当てられる資源が存在するかのみを判別し呼を割り当てると、実際に使用者が要求するデータ伝送率を保障できない場合が起こる。例えば、基地局または基地局制御器から高速のデータを要求する呼に対して、音声サービスのように低速のデータしか伝送できない場合と同様な方法で呼を割り当てると、要求される伝送率を保障できないという問題が生ずる。つまり、従来の方式で呼を設定すると、サービス品質を保障できない問題につながる。
【００１３】
これは、単に呼を設定する場合の以外にも、ハンドオーバーが発生する場合にも問題となる。つまり、現在呼の設定された基地局では前記の高速データ伝送率が保障できるが、ハンドオーバーによって呼の渡されるターゲット(Target)基地局ではそれが不可能で、サービス品質が保障できないという問題があった。
【００１４】
【発明が解決しようとする課題】
したがって、本発明の目的は、移動通信システムでサービス品質(ＱｏＳ)を考慮して呼の割り当てを受付ける方法を提供することにある。
【００１５】
本発明の他の目的は、移動通信システムでサービス品質(ＱｏＳ)を考慮してハンドオーバーされる呼の割り当てを受付ける方法を提供することにある。
【００１６】
本発明のさらに他の目的は、移動通信システムで高速データサービスの提供される端末に継続的にデータ伝送率を保障できるように呼の割り当てを受付ける方法を提供することにある。
【００１７】
【課題を解決するための手段】
前記目的を達成するために、本発明は、移動端末と、前記移動端末と通信できる基地局と、基地局制御器とが所定のネットワークを通じて連結されるサービスシステムにおいて前記基地局が前記移動端末にサービス品質に基づいて呼を設定する方法であって、サービス品質が要求される呼設定要求時、使用可能なチャネル資源が存在するか確認し、使用可能なチャネル資源が存在する場合残った帯域幅が前記サービス品質に基づいて要求される伝送率を支援できるか確認し、また、前記確認結果、要求される伝送率を支援できる場合、チャネル資源を割り当て、基地局制御器に呼承諾応答信号を伝送して呼を受付けることを特徴とする。
【００１８】
前記目的を達成するために、本発明は、移動端末と、前記移動端末と通信できる基地局と、基地局制御器とが所定のネットワークを通じて連結されるサービスシステムにおいて前記基地局制御器が前記移動端末にサービス品質に応じて呼を設定する方法であって、サービス品質による認証を完了した前記移動端末に対してサービス品質が要求される呼設定要求時、前記基地局制御器内に使用可能な無線資源が存在するか確認し、無線資源が存在すると前記基地局と連結されたネットワークの帯域幅がサービス品質に基づいて要求される最小伝送率を支援できるか確認し、また、前記確認結果、前記基地局と連結されたネットワークに前記サービス品質に基づいて要求される最小伝送率を支援できる帯域幅が存在する場合、帯域幅および無線資源を割り当て、前記基地局に呼設定要求信号を伝送する ことを特徴とする。
【００１９】
前記目的を達成するために、本発明は、移動端末と、前記移動端末と通信できる基地局と、前記基地局制御器とが所定のネットワークを通じて連結され、前記移動端末のサービス品質プロファイル情報を貯蔵するプロファイルサーバを含むサービスシステムにおいて前記基地局制御器が前記移動端末にサービス品質に基づいて呼を設定する方法であって、所定の移動端末に対する呼設定要求メッセージにサービス品質パラメータが含まれて受信された場合、前記プロファイルサーバから使用者プロファイル情報を獲得して前記サービス品質パラメータと使用者プロファイル情報を比較する過程と、前記比較結果、前記使用者プロファイル情報が前記サービス品質パラメータを含む場合、前記基地局制御器内に使用可能な無線資源が存在するか確認する過程と、前記確認結果無線資源が存在する場合、前記基地局と連結されたネットワークの帯域幅がサービス品質に基づいて要求される最小伝送率を支援できるか確認する過程と、前記確認結果、前記基地局と連結されたネットワークに前記サービス品質に基づいて要求される最小伝送率を支援できる帯域幅が存在すると、帯域幅および無線資源を割り当て、前記基地局に呼設定要求信号を伝送する過程と、を含むことを特徴とする。
【００２０】
【発明の実施の形態】
以下、本発明による好ましい実施例を添付図面を参照しつつ詳細に説明するものの、周知技術については適宜説明を省略する。なお、図面中、同一構成要素には同一番号及び符号を共通使用するものとする。
【００２１】
本発明が適用される移動通信システムは、基地局１０−ａおよび基地局制御器２０における呼受付制御動作およびプロファイルサーバ４０を除いては、前記従来技術におけると同様な構成を有する。
【００２２】
まず、プロファイルサーバ４０は、本発明によって従来技術とは異なるデータベースを有する。つまり、従来技術では前記<表１>のような形態の使用者プロファイルデータベースを有するものの、本発明は図３Ａおよび図３Ｂのような構造の加入者プロファイルを有する。図３Ａは、サービス単位ＱｏＳを支援する場合、本発明によってＱｏＳを考慮した加入者プロファイル情報のデータベース構成図であり、図３Ｂは、加入者単位ＱｏＳを支援する場合、本発明によってＱｏＳを考慮した加入者プロファイル情報のデータベース構成図である。また、前記基地局１０−ａと基地局制御器２０の呼受付制御過程も従来技術と異なっているので、伝達されるメッセージも異なってこなければならない。以下、本発明による新規事項をさらに詳細に説明する。
【００２３】
本発明において、サービス品質に基づいてプロファイルサーバ４０で管理するデータベースの情報構造は、サービス品質(ＱｏＳ)をサービス単位に適用するか、または加入者単位に適用するかによって異なる。
【００２４】
まず、図３Ａを参照すれば、サービス単位にサービス品質(ＱｏＳ)を適用する時、加入者ＩＤ(Subscriber Identifier)、認証パラメータ(Authentication Parameter)、および付加情報(Additional Information)などの従来使用者プロファイル情報フィールドに加えて、サービスの種類を意味するサービスタイプ(Service Type)と該当サービスが要求するサービス品質(ＱｏＳ)レベル関連パラメータの集合であるサービス品質サービスパラメータレコーダ(Service QoS Parameter
Record)がさらに存在する。
【００２５】
前記サービスタイプとサービス品質サービスパラメータレコーダは、加入者がサービス品質によるサービスを受けられるようなサービス種類ほど具えられる。前記サービスタイプ(Service Type)には、音声サービス(Voice)と、ビデオサービス(ＶＯＤ：Video On Demand)と、音楽サービス(ＭＯＤ：Music On Demand)と、ウェブ(Web：World Wide Web)サービス、ファイル伝送サービス(ＦＴＰ：File Transfer Protocal)などが存在する。
【００２６】
また、前記サービス品質によるサービスパラメータレコーダ(Service QoS Parameter Recorder)は、“y-second間、最小x-bitsを伝送し、最大z-bitsを伝送する”といったサービス品質(ＱｏＳ)定義に基づいて決定される。
【００２７】
一方、図３Ｂを参照すれば、加入者単位にサービス品質(ＱｏＳ)を適用時、加入者ＩＤ(Subscriber Identifier)、認証パラメータ(Authentication Parameter)および付加情報(Additional Information)などの従来使用者プロファイル情報フィールドに加えて、加入者のサービス品質(ＱｏＳ)クラスを意味する加入者クラス(Subscriber Class)フィールドと該当クラス(Class)が要求するサービス品質(ＱｏＳ)レベル関連パラメータの集合である加入者サービス品質パラメータレコーダ(Subscriber QoS  Parameter Recorder)がさらに存在する。
【００２８】
前記加入者サービス品質パラメータレコーダ(Subscriber QoS Parameter Recorder)は、図３Ａに示したサービス品質によるサービスパラメータレコーダ(Service QoS Parameter Record)と同様に、“y-second間、最小x-bitsを伝送し、最大z-bitsを伝送する”といったＱｏＳ定義に基づいて決定される。
【００２９】
したがって、本発明の好ましい実施例によってサービス品質を考慮した呼受付制御は、加入者のサービス品質プロファイルによって異なってくる。まず、サービス品質(ＱｏＳ)の定義から表記上の伝送率(R-rate)を定義する。サービス品質(ＱｏＳ)の定義を“y-second間、最小x-bitsを伝送し、最大z-bitsを伝送する”とする場合、伝送率(R-rate)は下記のいずれかに定義することができる。
(1)方法１：minimum x-bits per y-second
(2)方法２：maximum z-bits per y-second
(3)方法３：minimum x-bits per y-second with weighting factor(<=1)
(4)方法４：maximum z-bits per y-second with weighting factor(<=1)
【００３０】
前記方法１は、最小要求帯域が存在する場合該当呼を受付ける方法であって、移動通信網は常に、該当呼に対する最小帯域が可用となるように保持しなければならない。方法２は、最大要求帯域が存在する場合該当呼を受付ける方法であって、移動通信網は常に、該当呼に対する最大帯域が可用となるように保持しなければならない。方法３および４は、方法１および２を適用する場合に発生し得る移動通信網資源の非効率的な使用を防止するためのものであって、一定の加重値を最小或いは最大帯域幅要求量にかけることによって実際に必要な帯域より小さい帯域を保持する方案である。これは、パケットデータサービスが常に最小或いは最大帯域を必要としなく、トラフィックが活性化された場合にのみ必要とする点に起因したものであって、資源の統計的利用効率を増大させるためである。
【００３１】
図４は、本発明によってサービス品質(ＱｏＳ)に応じたサービスを提供する基地局の内部ブロック構成図である。以下、図４を参照して基地局の構成および基地局における呼受付制御動作並びにそれによって生成されるメッセージなどについて詳細に説明する。
【００３２】
本発明が適用された基地局１０は二重化したネットワークインターフェース(NIC or LIC：Network Interface Card or Line Interface Card)２１２を通じて基地局制御器と連結される。また前記ネットワークインターフェース２１２は基地局スイッチ２１３と連結される。前記二重化したネットワークインターフェース２１２は、基地局１０から基地局制御器２０に伝達するデータのインターフェースを行うと同時に、前記基地局制御器２０から前記基地局１０に受信されるデータのインターフェースを行う。前記基地局スイッチ２１３は、基地局制御部２１１の制御によって受信されたデータのスイッチング動作を行う。つまり、前記基地局スイッチ２１３は内部基地局スイッチ(Intra-BTS Switch)で構成される。
【００３３】
前記基地局制御部２１１は、基地局１０内の資源を管理し、各処理部を制御する。前記基地局制御部２１１は、無線スケジューラー２１４から受信される基地局の無線チャネル情報に基づいて加入者の呼認証を行う。この呼認証はサービス品質が適用されなかった一般の呼と本発明によるサービス品質を考慮した呼に区分して適用される。また、前記基地局制御部２１１は、本発明によるサービス品質のメッセージを基地局制御器２０から受信し、新規の呼またはハンドオーバーの行われる呼を受付けるか否かを、前記サービス品質メッセージに含まれた情報に基づいて決定する。
【００３４】
前記基地局１０は各使用者ごとに一つずつ割り当てられるチャネルカード２１５−１、２１５−２、…、２１５−ｎが具えられ、各チャネルカード２１５−１、２１５−２、…、２１５−ｎは、各使用者ごとに入力されるデータを処理して出力する。つまり、前記各チャネルカード２１５−１、２１５−２、…、２１５−ｎは、無線部２１６から入力されるデータを前記基地局の適用されたシステムによる復号化などの処理を行って基地局スイッチ２１３に出力し、前記基地局スイッチ２１３から受信されたデータを符号化などの処理を行って前記無線部２１６に出力する。無線部２１６は、移動通信端末と基地局間の無線チャネル送信のために、各チャネルカード２１５−１、２１５−２、…、２１５−ｎから受信されるデータを送信帯域の無線信号に上昇変換して無線上に出力し、各移動通信端末から受信される所定帯域の無線信号を受信して所定帯域の信号に下降変換して各チャネルカード２１５−１、２１５−２、…、２１５−ｎに出力する。
【００３５】
前記無線スケジューラー２１４は、無線資源を有効に使用するためのものであり、チャネルカードの一部に構成してもよく、別途のプロセッサで構成してもよい。また、前記無線スケジューラー２１４は本発明によってスケジューリングに必要な制御動作を行う。
【００３６】
図５は、本発明の好ましい実施例によって基地局でサービス品質を考慮して呼受付制御過程を行う場合の流れ図である。
【００３７】
図５を参照すれば、前記基地局制御部２１１は４００段階で待機状態を保持する。前記待機状態とは、前記基地局制御部２１１が呼を待機する状態のことをいう。前記基地局制御部２１１は４０２段階に進んで呼設定要求が存在するか確認する。ここで呼設定要求とは、一般に、移動端末１から呼の設定が要求される場合、ハンドオーバーによって呼の設定が要求される場合、または移動通信交換システム３０から呼の設定が要求される場合などに区分される。前記図５はハンドオーバーまたは移動通信交換システム３０から呼の設定が要求される場合を仮定して説明する。つまり、移動端末１から呼が要求される場合は、図５の制御流れにおいて、前記４０２段階の後にプロファイルサーバ４０による認証および本発明によるＱｏＳサービスによる認証などを行う過程をさらに含まなければならない。
【００３８】
前記基地局制御部２１１は、４０２段階の確認結果呼設定が要求された場合は４０４段階に進み、そうでない場合は４００段階の待機状態を保持する。前記基地局制御部２１１は４０４段階に進むと、前記設定要求された呼がＱｏＳサービスを支援する呼か確認する。前記４０４段階の確認結果ＱｏＳサービス呼が要求された場合は４１０段階に進み、そうでない場合は４０６段階に進む。まず、ＱｏＳサービス呼が要求されなかった場合を説明すると次のようである。前記基地局制御部２１１は４０６段階に進むとＱｏＳサービス呼が要求されなかった状態なので、従来技術のように割り当て可能なチャネルエレメント(ＣＥ：Channel Element)が存在するか確認する。前記４０６段階の確認結果チャネルエレメントが存在すると４０８段階に進み、そうでない場合は４１６段階に進んで基地局制御器２０に拒絶応答信号を伝送する。一方、前記４０６段階で割り当て可能なチャネルエレメントが存在すると、前記基地局制御部２１１は４０８段階に進んでNon QoS加入者のためのチャネル資源が存在するか確認する。つまり、前記基地局制御部２１１は、Non QoS加入者のために運用者全体チャネル資源のうち一部をNon QoS加入者のために割り当てておいてもよく、或いはＱｏＳ加入者が使用して残ったチャネル資源をを割り当ててもよい。
【００３９】
前記４０８段階の確認結果、前記チャネル資源が存在すると、基地局制御部２１１は４１８段階に進み、そうでない場合は４１６段階に進む。
【００４０】
一方、前記４０４段階の確認結果、ＱｏＳサービスが要求された場合、前記基地局制御部２１１は４１０段階に進む。前記基地局制御部２１１は４１０段階で、使用可能なチャネルエレメント(ＣＥ)が存在するか確認する。前記確認結果使用可能なチャネルエレメントが存在する場合、前記基地局制御部２１１は４１２段階に進み、そうでない場合は４１６段階に進む。前記基地局制御部２１１は４１６段階に進むと、呼設定要求に対する拒絶応答信号(Call-Establishment-Rej)を生成して基地局制御器２０に伝達する。
【００４１】
一方、前記４１０段階から４１２段階に進むと、前記基地局制御部２１１は基地局から割り当て可能なチャネル資源のうち、残った帯域幅(Bandwidth)を計算する。この残った帯域幅の計算は、下記の式のように計算できる。
残った帯域幅＝基地局から割り当て可能な全体帯域幅−現在割り当てられた全ての帯域幅の和
【００４２】
前記式によって残った帯域幅が計算されると、前記基地局制御部２１１は４１４段階に進んでＱｏＳサービスに基づいて要求された伝送率を支援できるか確認する。前記確認結果、要求された伝送率の支援が可能な場合は４１８段階に進み、そうでない場合は前述した４１６段階に進む。
【００４３】
前記基地局制御部２１１は４１８段階に進むと、チャネルエレメント(ＣＥ)を割り当て、４２０段階に進んで前記基地局スイッチ２１３を割り当て、前記ネットワークインターフェース２１２を制御して前記基地局制御器２０との通信のためのチャネルを確保する。その後、前記基地局制御部２１１は、４２２段階に進んで基地局制御器２０に呼承諾応答信号(Call-Accept-Res)を生成して伝送する。これにより、基地局１０は移動端末１にチャネルを割り当てて呼を設定することができる。
【００４４】
図６は、本発明によってＱｏＳに応じたサービスを提供する基地局制御器の内部ブロック構成図である。以下、図６を参照して本発明によってＱｏＳに応じたサービスを提供するための基地局制御器の構成および動作を詳細に説明する。
【００４５】
前記基地局制御器２０は、ゲートウェイ／移動交換システム３０と連結されて送／受信されるデータのインターフェースを行うネットワークインターフェース３１２を有すると同時に、前記基地局１０と連結されて送／受信されるデータのインターフェースを行うネットワークインターフェース３１４を有する。前記ネットワークインターフェース３１２、３１４は、前記図３に示した基地局１０のネットワークインターフェース２１２と同装置で構成できる。
【００４６】
基地局制御器スイッチ３１３は、基地局制御器２０内の各部にデータを伝達するためのスイッチング動作を行う。つまり、前記基地局制御器スイッチ３１３は両側のネットワークインターフェース３１２、３１４との間に連結されて両方向にデータの送／受信を行うと同時に、前記各ネットワークインターフェース３１２、３１４からのデータを基地局制御器制御部３１１またはトラフィック制御部３１５にそれぞれスイッチ連結する。
【００４７】
基地局制御器制御部３１１は、基地局制御器の全般的な動作を制御すると同時に、基地局制御器２０の資源と基地局１０の一部資源に対する制御を行う。特に、基地局制御器制御部３１１は本発明によってＱｏＳサービスに応じた呼連結などの制御を行う。トラフィック制御部３１５は、ラジオリンクプロトコル(ＳＤＵ／ＲＬＰ：Selection and Distribution Unit／Radio Link Protocol)の処理および信号処理などを制御する。前記ＳＤＵはＣＤＭＡ通信網で複数の基地局から受信した同一情報の中から最も品質のいいものを抽出する。また、前記ＳＤＵは一つまたは複数の基地局を通じて特定端末に情報を伝達する機能を行う。
【００４８】
また、前記基地局制御器２０と基地局１０間や基地局制御器２０とプロファイルサーバ４０間の認証のために相互間送／受信されるデータフォーマットの概念的なメッセージ構造を、図７に示す。ここで、メッセージタイプ(MSG Type)はメッセージの種類を表す。このようなメッセージタイプは、呼の設定要求／拒絶信号(Call-Establishment-Req／Res)と使用者プロファイルの要求／応答信号(User-Profile-Req／Res)などになる。そして、それによるコード(CODE)と長さ(LENGTH)情報が含まれ、必要に応じて、加入者プロファイル情報は、加入者ＩＤ(Subscriber Identifier)、認証パラメータ(Authentication Parameter)および付加情報(Additional Information)などを必要とする。すなわち、前記従来技術に表した<表１>のような情報が認証などのために使用される。ところで、本発明では、ＱｏＳに応じて呼を受付および拒絶するためには、前記図７に示した概念的なメッセージ構造にサービスタイプまたは加入者クラスが含まれなければならない。これを図８Ａおよび図８Ｂを参照して説明する。
【００４９】
図８Ａは、本発明によってサービス単位にＱｏＳサービスが支援されるときプロファイルサーバ４０から提供される概念的なメッセージ構造を示す図である。前記図８Ａは、図７の一般のメッセージ構造に、サービスタイプ(Service Type)およびサービスＱｏＳパラメータレコーダ(Service QoS Parameter Recoder)が付加される。これは、プロファイルサーバ４０から基地局制御器２０に、または基地局制御器２０から基地局１０に伝達され、呼の設定のためにチャネルが割り当てられる場合に提供されなければならない資源の確認時に必要なパラメータとなる。つまり、図８Ａのメッセージ構造は、プロファイルサーバ４０に貯蔵されるパラメータフィールドのうち、該当するサービスに基づいたタイプ情報およびパラメータレコーダを伝達するか、または、全てのタイプ情報およびパラメータレコーダを伝達できるように構成しなければならない。
【００５０】
図８Ｂは、本発明によって加入者単位にＱｏＳサービスが支援されるときプロファイルサーバから提供される概念的なメッセージ構造を示す図である。図８Ｂのメッセージ構造は、前記図７の構成に、加入者クラス(Subscriber Class)と加入者ＱｏＳパラメータレコーダ(Subscriber QoS Parameter Recorder)が付加される。つまり、プロファイルサーバ４０に貯蔵される加入者クラスと加入者ＱｏＳパラメータレコーダを伝達できるように構成しなければならない。以上のように、前記図８Ａおよび図８Ｂのメッセージ構成は、前述の図３Ａおよび図３Ｂの使用者プロファイルにそれぞれマッチングされてなる。
【００５１】
図９は、本発明によって基地局制御器からサービス品質に基づいて呼受付制御動作を行う場合の流れ図である。
【００５２】
図９を参照すれば、基地局制御器制御部３１１は５００段階で待機状態を保持する。前記待機状態とは、所定のイベントが発生する前に一般の制御状態を保持することをいう。つまり、呼の保持およびシステムの管理のための制御を行う状態をいう。また、イベントは、呼の中止、切断および呼の開始のための各種処理要求などを指す。前記基地局制御器制御部３１１はこのような待機状態を保持し、５０２段階に進んで前記移動交換システム３０と連結されたネットワークインターフェース３１２から前記基地局制御器スイッチ３１３を通じて呼設定要求信号が受信されるか確認する。前記５０２段階の確認結果呼設定要求信号が受信される場合、前記基地局制御器制御部３１１は５０４段階に進み、そうでない場合は５００段階の待機状態を保持する。
【００５３】
前記基地局制御器制御部３１１は５０４段階に進むと、呼設定の要求された信号がＱｏＳに基づいたサービスを提供しなければならない呼か確認する。前記５０４段階の確認は、図８Ａまたは図８Ｂのように受信されるメッセージフォーマットによって確認可能である。つまり、前記図８Ａまたは図８Ｂのように受信されるメッセージにサービスタイプとそれによる要求サービスが含まれているので、これを確認すればいい。つまり、前記移動交換システム３０は、前記メッセージ情報をプロファイルサーバ４０から受けて基地局制御器２０に提供する。このように呼設定を要求する信号にＱｏＳサービスが要求された場合、前記基地局制御器制御部３１１は５１２段階に進み、そうでない場合は５０６段階に進む。
【００５４】
つまり、従来技術において移動交換システム３０は前述のメッセージ情報をプロファイルサーバ４０から受けて基地局制御器２０に提供しなく、基地局制御器２０で図２の１０２段階と１０４段階の過程が行われる。しかし、この動作を本発明では移動交換システム３０で行う。
【００５５】
従来技術のように基地局制御器２０で前記１０２段階と１０４段階を行う場合、基地局制御器２０は、移動交換システム３０から受信される呼設定要求メッセージにＱｏＳパラメータが含まれているか確認することによって、呼がＱｏＳサービスを要求しているか確認する。ＱｏＳパラメータが含まれていないと、基地局制御器２０は、プロファイルサーバ４０に呼の設定される使用者のプロファイルを要求して獲得する。しかる後、基地局制御器２０は、図９に示さぬ下記の制御過程をさらに行わなければならない。つまり、基地局制御器２０はプロファイルサーバ４０から図８Ａおよび図８Ｂのような形式に受信された使用者プロファイルを確認し、要求されたＱｏＳパラメータ値を提供できるか確認する。その後、基地局制御器２０は受信された使用者プロファイルとＱｏＳパラメータを比較し、該当サービスの提供が可能な場合、つまり、使用者プロファイルが該当ＱｏＳパラメータを含む場合には５１２段階に進む。
【００５６】
一方、ＱｏＳサービスが要求されなかった場合は、前記基地局制御器制御部３１１は５０６段階で、前記基地局制御器２０に使用可能な無線資源が存在するかを判別する。つまり、基地局制御器に、各端末との通話路を設定する上で使用されるＳＤＵ／ＲＬＰプロセスの資源が存在するか確認する。これは、ＳＤＵ／ＲＬＰ制御はトラフィック制御部３１５で行われる動作であるが、前述した資源の存在有無は基地局制御器制御部３１１で管理する動作であるためである。しかしこの管理もトラフィック制御部３１５で行うように構成してもよい。前記５０６段階の確認結果、無線資源が存在すると前記基地局制御器制御部３１１は５０８段階に進み、そうでない場合は５１８段階に進んで呼要求に対する拒絶を行う。この５１８段階は後で詳述する。
【００５７】
前記５０６段階で基地局制御器の内部に無線資源が存在すると確認された場合、基地局制御器制御部３１１は５０８段階に進んでＱｏＳサービスのとNon QoSサービス時の最小伝送率および基地局制御器２０と基地局１０間の帯域幅を確認する。従来技術で既に説明したように、基地局制御器２０と基地局１０の間はＷＡＮまたはＥ１／Ｔ１トランクで連結される。したがって、前記基地局制御器制御部３１１は帯域幅を計算し、５１０段階に進んで前記残った帯域幅でNon QoS加入者への呼割り当てが可能か判断する。このように付加呼を支援できる場合は、前記基地局制御器制御部３１１は５２０段階に進んで呼設定のための後過程を行う。しかし、付加呼の支援が不可能な場合は前記５１８段階に進む。
【００５８】
次いで、前記５０４段階でＱｏＳサービス呼が要求されて５１２段階に進んだ場合や、ＱｏＳパラメータの含まれた呼設定要求メッセージを受信し、該当使用者が要求されたサービスのＱｏＳを支援できる場合について述べる。
【００５９】
５１２段階で前記基地局制御器制御部３１１は基地局制御器２０に使用可能な無線資源が存在するか確認する。つまり、基地局の内部に使用可能なＳＤＵ／ＲＬＰプロセス資源が存在するか確認する。前記５１２段階の確認結果、無線資源が存在する場合は５１４段階に進み、そうでない場合は前記５１８段階に進む。前記基地局制御器制御部３１１は５１４段階に進んでＱｏＳサービス時の最小伝送率と基地局１０と基地局制御器２０間に残った帯域幅を計算する。その後、前記基地局制御器制御部３１１は５１６段階に進んで要求された伝送率を支援できるか確認する。前記５１４段階で基地局制御部２１１は下記の式をによって残った帯域幅を計算する。
残った帯域幅＝基地局と基地局制御器間に存在する全体帯域幅−基地局と基地局制御器間に使用される帯域幅
【００６０】
次いで、前記基地局制御器制御部３１１は５２０段階に進んで要求された伝送率に基づいて基地局１０に帯域幅を割り当て、前記基地局制御器２０内の無線資源を割り当てる。しかる後、前記基地局制御器３１１は５２２段階に進んで基地局制御器スイッチ３１３を基地局１０に連結する。これにより、基地局制御器２０と基地局１０間にチャネルが設定される。次いで、前記基地局制御器制御部３１１は５２４段階に進んで呼設定要求信号(Call-Establishment-Req)を生成して基地局１０に伝送する。このとき生成されるメッセージは前記図８Ａまたは図８Ｂに示すようなメッセージとして形成されて基地局１０に伝達される。
【００６１】
この呼設定要求信号を受信した基地局１０は呼受付制御動作を行い、それによる応答を基地局制御器に送信し、その後、呼が拒絶または設定されてサービス品質(ＱｏＳ)によるサービスがなされる。
【００６２】
上述のように、本発明では、呼受付制御(ＣＡＣ)手続によって移動通信システムでＱｏＳを保障することができる。また、本発明によれば、サービス或いは加入者が要求した伝送率を支援できる場合にのみ呼を受付けるので、サービスの品質を保障することができ、また、ＱｏＳサービスが要求された場合、トラフィック混雑区間が存在しても加入者に円滑なサービスが提供できる。
【００６３】
以上の説明では本発明を具体的な実施例に上げて説明してきたが、当該技術分野で通常の知識を持つ者によって本発明の思想を外れない範囲内でさまざまな変形および修正が可能なことは自明である。したがって、本発明の範囲は請求範囲によって定められるべきである。
【図面の簡単な説明】
【図１】  一般の移動通信システムにおける各ノードの連結構成図。
【図２】  外部から呼が入るとき呼の受付／拒絶による信号流れ図。
【図３Ａ】  サービス単位ＱｏＳを支援する場合、本発明によってＱｏＳを考慮した加入者プロファイル情報のデータベース構成図。
【図３Ｂ】  加入者単位ＱｏＳを支援する場合、本発明によってＱｏＳを考慮した加入者プロファイル情報のデータベース構成図。
【図４】  本発明によってサービス品質(ＱｏＳ)によるサービスを提供する基地局の内部ブロック構成図。
【図５】  本発明の好ましい実施例によって基地局で呼受付制御動作を行う一例を示す流れ図。
【図６】  本発明によってサービス品質(ＱｏＳ)に基づいたサービスを提供する基地局制御器の内部ブロック構成図。
【図７】  呼の設定および認証のために相互送／受信されるデータフォーマットの概念的なメッセージ構造を示す図。
【図８Ａ】  本発明によってサービス単位にＱｏＳを支援するときプロファイルサーバから提供される概念的なメッセージ構造を示す図。
【図８Ｂ】  本発明によって加入者単位にＱｏＳサービスを支援するときプロファイルサーバから提供される概念的なメッセージ構造を示す図。
【図９】  本発明によって基地局制御器でサービス品質に基づいて呼受付制御動作を行う一例を示す流れ図。
【符号の説明】
１０      基地局
２０      基地局制御器
３０      移動交換システム
４０      プロファイルサーバ
２１１      基地局制御部
２１２      ネットワークインターフェイスカード
２１３      基地局スイッチ
２１４      無線スケジューラ
２１５      チャネルカード
３１１      基地局制御器制御部
３１２      ネットワークインターフェイス
【図１】
0004202769.tif 000003
【図２】
0004202769.tif 000004
【図３Ａ】
0004202769.tif 000005
【図３Ｂ】
0004202769.tif 000006
【図４】
0004202769.tif 000007
【図５】
0004202769.tif 000008
【図６】
0004202769.tif 000009
【図７】
0004202769.tif 000010
【図８Ａ】
0004202769.tif 000011
【図８Ｂ】
0004202769.tif 000012
【図９】
0004202769.tif 000013